(57)【要約】      （修正有）【課題】簡単に着脱でき、不特定多数の人が使用しても衛生的で、見栄えが良い、立褌を無くした相撲用まわしを提供する。【解決手段】横褌１と太ももベルト吊り８と太ももベルト９からなる相撲用まわしで、従来のまわしでは腰に巻いた横褌１を立褌で上に持ち上がる力を伝達していたが、太ももベルト吊り８と連動した太ももベルト９が上へ持ち上げる力を伝達して、横褌１が上にずれる事を防止する。【選択図】図１
0003183695.tif 000002
【実用新案登録請求の範囲】
【請求項１】
消防ホースを平らにして従来の相撲用まわしの横褌部分とし、その横褌がズレたりはずれたりしないように横褌末端には腰に横褌の一重目を巻付けた時に腰周りのサイズに合う位置で横褌の表裏に縫付けた横褌末端部分のすべり止めマジックテープ（登録商標）で固定し、長さの余った横褌をもう一周腰に巻付けて腰周りのサイズに合う位置で横褌の表裏に縫付けた横褌先端すべり止めマジックテープ（登録商標）で再度固定する。さらに横褌先端部分に関しては競技中に横褌先端に手や指が引っ掛かり、横褌がズレないように横褌先端ズレ止めベルトで止めて従来の相撲用まわしの横褌部分の機能を有する部分を特徴とする立褌を無くした相撲用まわし。
【請求項２】
８の字のように二つの大小の輪がある太ももベルト吊りの大きい方の輪に上記の横褌を通し、小さい方の輪に縫付けて固定した太ももベルトにはマジックテープ（登録商標）が両端の表裏に縫付けてあり、太ももを一周して太ももが締まる長さに太ももベルトの長さを調整して、太ももベルトのすべり止めマジックテープ（登録商標）で止める。以上からなる構成により横褌に上へ持ち上げる力が加わった場合に、その力が太ももベルト吊りを介して太ももベルトに伝わりその力を太ももでくい止める事により、横褌が上にずれる事を防止する事により従来の相撲用まわしの立褌部分の機能を有する部分となる事を特徴とする立褌を無くした相撲用まわし。
【考案の詳細な説明】
【技術分野】
【０００１】本考案は相撲競技における、立褌を無くした相撲用まわしに関する。
【背景技術】
【０００２】従来の相撲用まわしは一枚の長い帯状の布で構成され、その布を腰に巻き、その布で横褌、立褌を形成して相撲用まわしとしていた。
【先行技術文献】
【特許文献】
【０００３】
【特許文献１】実用新案第１２５４２２５号
【非特許文献】
【０００４】
【非特許文献１】クサクラ「武道カタログ２０１２」相撲道  早川繊維工業（株）
【考案の概要】
【考案が解決しようとする課題】
【０００５】従来は次のような欠点があった。
（イ）初心者には一枚の帯状の布を相撲用のまわしとして巻くのは難しい。
（ロ）不特定多数の人が使用した相撲用まわしを使用するのには衛生的に問題がある。
（ハ）立褌が股間を通り、その見栄えに抵抗がある人がいる。
本考案は、以上のような従来の欠点を鑑み、簡単に着脱でき、不特定多数の人が衛生的に、見栄えの良い立褌を無くした相撲用まわしを提供する事を目的としている。
【課題を解決するための手段】
【０００６】上記目的を達成するために、本考案は、消防ホースを平らにして従来の横褌部分とし、その横褌がズレたりはずれたりしないように横褌末端には腰に横褌の一重目を巻付けた時に腰周りのサイズに合う位置で横褌の表裏に縫付けた横褌末端部分のすべり止めマジックテープ（登録商標）で固定し、長さの余った横褌をもう一周腰に巻付けて腰周りのサイズに合う位置で横褌の表裏に縫付けた横褌先端すべり止めマジックテープ（登録商標）で再度固定する。さらに横褌先端部分に関しては競技中に横褌先端に手や指が引っ掛かり、横褌がズレないように横褌先端ズレ止めベルトで止めて従来の相撲用まわしの横褌部分の機能を有する部分と８の字の形状の二つの大小の輪がある太ももベルト吊りの大きい方の輪に上記の横褌を通し、小さい方の輪に縫付けて固定した太ももベルトにはマジックテープ（登録商標）が両端の表裏に縫付けてあり、太ももを一周して太ももまわりの長さに太ももベルトの長さを調整して、太ももベルトのすべり止めマジックテープ（登録商標）で止める。以上からなる構成により横褌に上へ持ち上げる力が加わった場合に、その力が太ももベルト吊りを介して太ももベルトに伝わりその力を太ももでくい止めて、横褌が上にずれる事を防止する事により従来の相撲用まわしの立褌部分の機能を有する部分となる、立褌を無くした相撲用まわしを構成している。
【考案の効果】
【０００７】以上の説明から明らかなように、本考案にあっては次に列挙する効果が得られる。
（１）図２の１  横褌が一本の帯状となっていて、その横褌に５  横褌先端部分のすべり止めマジックテープ（登録商標）と６  横褌末端部分のすべり止めマジックテープ（登録商標）と４  横褌先端ズレ止めベルトとで構成され従来の相撲用まわしの横褌部分が独立しているので、腰に横褌をまわしマジックテープ（登録商標）で止めるだけで初心者でも簡単に着脱が簡単に出来る。
（２）図２の８  太ももベルト吊りの大きい方の輪に横褌を通し、小さい方の輪に９太ももベルトを縫付けてその表裏に１０  太ももベルトのすべり止めマジックテープ（登録商標）とで構成され従来の相撲用まわしの立褌の機能を有する部分が股間を通らずに左右の太もも部分にその機能を負担させているので、装着しても見栄え上抵抗感がなくなる。
（３）衣服の上からの装着ができるので、不特定多数の人が同じまわしを使用しても衛生的である。
【図面の簡単な説明】
【０００８】
【図１】は全体の斜視図
【図２】は全体の展開図
【図３】は横褌先端ズレ止めベルトの詳細図
【図４】は太ももベルト吊り、太ももベルトの詳細図
【図５】は立褌を無くした相撲用まわしを装着（主要部分は符号を記入）して相撲をする場合のイメージ図３例
【考案を実施するための形態】
【０００９】以下、本考案の実施の形態を図に基づいて説明する。
【実施例１】
【００１０】図１は、本考案の実施例１の斜視図であって、１  横褌を腰に装着した場合の形状で９  太ももベルトは太ももに装着する前の形状である。
【実施例２】
【００１１】図２は、本考案の実施例２の展開図あって、１  横褌、１０  太ももベルトに縫付けるマジックテープ（登録商標）が配置して状態である。
【実施例３】
【００１２】図３は、本考案の実施例３の４  横褌先端ズレ止めベルトの詳細図あって、競技中に横褌先端に手や指が引っ掛かり、横褌がズレないように横褌先端ズレ止めベルトで防止する。
【実施例４】
【００１３】図４は、本考案の実施例４の８  太ももベルト吊り、９  太ももベルトの詳細図あって、太ももを一周してマジックテープ（登録商標）で止めた状態である。
【実施例５】
【００１４】横褌となる消防ホースには代用品として、化学繊維の布生地、帆布、柔道等の帯が考えられる。
【符号の説明】
【００１５】  １  横褌
２  横褌先端
３  横褌末端
４  横褌先端ズレ止めベルト
５  横褌先端部分のすべり止め用マジックテープ（登録商標）；実線は表側、点線は裏側を表す
６  横褌末端部分のすべり止め用マジックテープ（登録商標）；実線は表側、点線は裏側を表す
７  横褌先端ズレ止めベルトのマジックテープ（登録商標）；実線は表側、点線は裏側を表す
８  太ももベルト吊り
９  太ももベルト
１０  太ももベルトのすべり止め用マジックテープ（登録商標）；実線は表側、点線は裏側を表す
【図１】
0003183695.tif 000003
【図２】
0003183695.tif 000004
【図３】
0003183695.tif 000005
【図４】
0003183695.tif 000006
【図５】
0003183695.tif 000007
【手続補正書】
【提出日】平成25年3月6日(2013.3.6)
【手続補正１】
【補正対象書類名】実用新案登録請求の範囲
【補正対象項目名】全文
【補正方法】変更
【補正の内容】
【実用新案登録請求の範囲】
【請求項１】
消防ホースを平らにして横褌とし、そのホースの片方を横褌先端としてホースを縦に一周する長さの面ファスナーを付けた横褌先端ズレ止めベルトを縫付けて、横褌の表裏でオスメス一対となる面ファスナーを片方の横褌先端側ともう一方の横褌末端側に２対縫付けている事を特徴とする立褌を無くした相撲用まわし。
【請求項２】
左右の大小の二つの輪からなる８の字の形をした太ももベルト吊りの上の大きい方の輪に前項の横褌を通し、小さい方の輪に表裏でオスメス一対となる面ファスナーを縫付けている太ももベルトを通している事を特徴とする請求項１に記載の相撲用まわし。